(57)【要約】      （修正有）【課題】照明看板を簡易な構造をもって全体を均一に発光させる。【解決手段】照明看板１１は、切文字や絵柄の形状に形成された横断面凹状のシェルと、シェル内に収容されたＬＥＤ光源１４と、ＬＥＤ光源１４により発光させられる導光板１５と、シェルと相似形に形成されてシェルの開口部を閉塞して光を拡散させる表面拡散板１３とを備えている。このシェルは、ＬＥＤ光源１４が収容された幅広部と、ＬＥＤ光源１４が収容されない幅狭部とを備えている。また、導光板１５の端部には幅広部に収容されたＬＥＤ光源１４の光を幅狭部に導光する切欠部１６が形成されている。この切欠部１６は、「傾斜角度「θ」＞アクリルの傾斜角度（４２．２°）」に形成されている。【選択図】図３
2017223814.tif 000002
【特許請求の範囲】
【請求項１】
切文字や絵柄の形状に形成された横断面凹状のシェルと、
前記シェル内に収容された光源と、
前記光源により発光させられる導光板と、
前記シェルと相似形に形成され、前記シェルの開口部を閉塞する表面拡散板と、を備え、
前記シェルは、前記光源が収容された幅広部と、前記光源が収容されない幅狭部と、を備え、
前記導光板の端部には、前記幅広部に収容された前記光源の光を前記幅狭部に導光する切欠部が形成されたことを特徴とする照明看板。
【請求項２】
前記切欠部は、前記光源の上方に配置され、
前記表面拡散板の臨界角よりも大きな角度に形成されている
ことを特徴とする請求項１記載の照明看板。
【請求項３】
前記表面拡散板の厚さは、前記幅広部の前記導光板が配置された部分よりも前記幅広部の前記導光板が配置されていない部分が大きい
ことを特徴とする請求項１または２記載の照明看板。
【請求項４】
前記導光板の厚さは、前記光源から遠ざかるにしたがって薄くなることを特徴とする請求項１〜３のいずれか１項に記載の照明看板。
【請求項５】
前記導光板の表面に施された光拡散ドット加工は、前記光源から遠ざかるにしたがって高密度となることを特徴とする請求項１〜４のいずれか１項に記載の照明看板。
【発明の詳細な説明】
【技術分野】
【０００１】
本発明は、例えば建築物などの構造物の壁面に取り付けられて店舗名などを表示する照明看板に関する。
【背景技術】
【０００２】
図１１は特許文献１の照明看板１を示している。この照明看板１は、切文字状に形成された横断面凹状のシェル（ボックス）３と、シェル３に収容される切文字状の導光板４と、導光板４を発光させるＬＥＤ光源６と、シェル３の開口部を閉塞する表面拡散板５とを備えている。
【０００３】
このＬＥＤ光源６としては、フレキシブル基板にＬＥＤチップを配置したＬＥＤモジュールが用いられている。このＬＥＤモジュールは、シェル３の起立壁７の内面に放熱性の両面接着テープまたは接着剤で固定されている。
【０００４】
図１２は、「Ｈ」の切文字状に形成された照明看板１を示している。この照明看板１のシェル３は、「Ｈ」の切文字状に形成されているため、幅広部Ｆ１にＬＥＤ光源６を設けることは可能であるものの、幅狭部Ｆ２にはＬＥＤ光源６を設けられない場合が生じる。この点で導光板４を均一に発光させることができず、特許文献１は様々な形状に加工された照明看板に対応できないおそれがある。
【０００５】
そこで、図１３に示す特許文献２の照明看板２が提案されている。この照明看板２にはＬＥＤ光源６としてＬＥＤテープが用いられ、該ＬＥＤテープは粘着性テープに所定間隔をおいてＬＥＤチップが取り付けられ、導光板４の周囲（周端、内周面）に固着されている。ここでは導光板４には、その輪郭に相似した複数の溝８が多重的に形成され、該各溝８が発光部分となっている。
【先行技術文献】
【特許文献】
【０００６】
【特許文献１】特開２００８−２５６９２０
【特許文献２】特開２０１３−１８２２５２
【発明の概要】
【発明が解決しようとする課題】
【０００７】
特許文献２の照明看板２によれば、幅広部Ｆ１に配置された導光板４の表面から漏れる光により幅狭部Ｆ２の導光板４を発光させている。しかしながら、切文字などの形状によっては、幅狭部Ｆ２に漏れる光が少なく、幅狭部Ｆ２を発光させるには不十分な場合がある。この点で特許文献２は、特許文献１と同様に照明看板２の全体を均一に発光させられないおそれがある。
【０００８】
また、導光板４の輪郭に相似した溝を多重に形成しなければならないため、導光板４の構造が複雑化するおそれがある。そのため、特許文献２の照明看板２は、導光板４のコストが増加し、製造コストの抑制が困難となってしまう。
【０００９】
本発明は、このような従来の問題を解決するためになされ、照明看板を簡易な構造をもって全体を均一に発光させることを解決課題としている。
【課題を解決するための手段】
【００１０】
本発明は、切文字や絵柄の形状に形成された横断面凹状のシェルと、前記シェル内に収容された光源と、前記光源により発光させられる導光板と、前記シェルと相似形に形成され、前記シェルの開口部を閉塞する表面拡散板と、を備え、前記シェルは、前記光源が収容された幅広部と、前記光源が収容されない幅狭部と、を備え、前記導光板の端部には、前記幅広部に収容された前記光源の光を前記幅狭部に導光する切欠部が形成されたことを特徴としている。
【００１１】
前記切欠部としては、前記光源の上方に配置され、前記表面拡散板の臨界角よりも大きな角度に形成されていることが好ましい。また、前記表面拡散板の厚さは、前記幅広部の前記導光板が配置された部分よりも前記幅広部の前記導光板が配置されていない部分が大きいことが好ましい。
【００１２】
さらに前記導光板の厚さは、前記光源から遠ざかるにしたがって薄くなることが好ましい。また、前記導光板の表面に施された光拡散ドット加工は、前記光源から遠ざかるにしたがって高密度となることが好ましい。
【発明の効果】
【００１３】
本発明によれば、照明看板を簡易な構造をもって全体を均一に発光させることができる。
【図面の簡単な説明】
【００１４】
【図１】本発明の実施形態に係る照明看板の斜視図。
【図２】同  横断面図。
【図３】図１のＡ−Ａ断面図。
【図４】図１のＢ−Ｂ断面図。
【図５】図３のＣ−Ｃ断面図。
【図６】光源からの光の反射を示す縦断面図。
【図７】図４の光の拡散を示す断面図。
【図８】（ａ）は導光板の側面図、（ｂ）は（ａ）の平面図。
【図９】導光板のドットパターン密度を示すイメージ図。
【図１０】（ａ）は他例１を示す部分縦断面図、（ｂ）は他例２を示す部分断面図。
【図１１】特許文献１の照明看板の分解斜視図。
【図１２】「Ｈ」の切文字状の照明看板の斜視図。
【図１３】特許文献２の照明看板の分解斜視図。
【発明を実施するための形態】
【００１５】
以下、本発明の実施形態に係る照明看板を説明する。この照明看板は外周形状が文字や絵柄などの形状に沿って形成されている。
【００１６】
図１に基づき一例を説明すれば、前記照明看板１１は、切文字「Ｈ」状の外観形状を呈している。このような照明看板１１は、切文字照明や切文字看板と呼ばれ、図示省略の商業施設などの建物（構造物）の壁面に取り付けられ、正面や側面などが発光する光る看板として利用されている。
【００１７】
≪構成例≫
図１〜図５に基づき前記照明看板１１の構成例を説明する。この照明看板１１は、切文字「Ｈ」状に形成された横断面凹状のシェル１２と、シェル１２内に収容されたＬＥＤ光源１４と、ＬＥＤ光源１４により発光させられる導光板１５と、シェル１２と相似形に形成されたアクリル樹脂製の表面拡散板１３とを備え、表面拡散板１３はシェル１２の開口部を閉塞して光を拡散させている。
【００１８】
（１）シェル１２
シェル１２は、例えば亜鉛板などの金属製でもよく、あるいは樹脂製でもよいものとする。具体的にはシェル１２は、図２に示すように、一対の幅広部（図１２の「Ｆ１」に相当する。）１２ｃと、両幅広部１２ｃ間を連結する幅狭部（図１２の「Ｆ２」に相当する。）１２ｄとによって切文字「Ｈ」状に形成されている。
【００１９】
この各部１２ｃ，１２ｄは、図３および図４に示すように、切文字「Ｈ」の外周を構成する一対の側壁（周端）１２ａと、両側壁１２ａの下端間の底壁１２ｂとを備え、底壁１２ｂは前記照明看板１１の背面を構成している。
【００２０】
（２）ＬＥＤ光源１４
ＬＥＤ光源１４としては、汎用的なタイプでよく、例えば特許文献１のようなフレキシブル基板１４ａにＬＥＤチップ１４ｂを配置したＬＥＤモジュールを用いることもでき、特に限定されない。
【００２１】
このＬＥＤ光源１４は、図２に示すように、両幅広部１２ｃ内に収容されている一方、幅狭部１２ｄ内には収容されていない。ここではＬＥＤ光源１４は、各幅広部１２ｃの側壁１２ａの内面に沿って配置されている。
【００２２】
（３）導光板１５
導光板１５は、例えば厚さを「７ｍｍ〜１５ｍｍ」程度、好ましくは「１０ｍｍ」程度としたアクリル透明樹脂の導光板基板からなり、表面側に例えばドット・格子・ヘアラインなどの導光パターンを有している。すなわち、導光板１５の表面には円形または正六角形などの多角形、例えば「０．１ｍｍ〜０．５ｍｍ」程度の大きさの正六角形のドットを高密度に配置したドットパターンの加工が施されている。
【００２３】
このような導光板１５は、図３および図５に示すように、プレート状に形成された導光板本体（以下、本体と略する。）１５ａと、本体１５ａの両端部１５ｂに形成された切欠部１６と、を備えている。
【００２４】
この本体１５ａには、複数の図示省略の取付孔が形成され、図示省略のボルトとナットなどを用いてシェル１２の側壁１２ａに固定されている。この本体１５ａの略中央部は、図５に示すように、幅狭部１２ｄ内に配置されて側壁１２ａに固定されている一方、本体１５ａの両端部１５ｂは幅広部１２ｃ内に配置されて側壁１２ａに固定されている。
【００２５】
このとき導光板１５の各端部１５ｂの下側には、図３に示すように、上向きの光源としてＬＥＤ光源１４のＬＥＤチップ１５ｂが配置されている。ここでは切欠部１６は、「傾斜角度（θ）＞アクリルの傾斜角度（４２．２°）」に形成され、ＬＥＤチップ１５ｂからの入射光を全反射させて直角方向に導光させることができる。
【００２６】
（４）表面拡散板１３
表面拡散板１３は、透光製のアクリルやポリカーボネートなどの樹脂製の板をレーザーカットなどの加工方法によってシェル１２と相似形に切り出され、全体が乳白色でシェル１２の内部が直に透視できないようなっている。この表面拡散板１３は、外周端部がテーパ状に形成され、側壁１２ａの上端間の開口部に嵌め込んだ後に接着剤またはシール材などでシェル１２に固定されている。
【００２７】
ここで表面拡散板１３の厚さ（肉厚）は、図５に示す幅広部１２ｃに応じた部分１３ａにおいて導光板１５の配置の有無により大きさが異なっている。すなわち、図３および図４に示すように、導光板１５の上側に配置される部分（以下、導光板配置部分とする。）１３ｄよりも導光板１５が配置されていない部分（以下、導光板未配置部分とする。）１３ｃが大きく設定されている。この導光板配置部分１３ｄの厚さは、幅狭部１２ｂに応じた表面拡散板１３の部分１３ｂの厚さと同等に設定されている。
【００２８】
≪作用効果≫
このように構成された前記照明看板１１によれば、以下の作用効果を得ることができる。
【００２９】
（１）前記照明看板１１によれば、シェル１２の幅広部１２ｃにはＬＥＤ光源１４が収容されているものの、シェル１２の幅狭部１２ｄにはＬＥＤ光源１４が収容されていない。このとき導光板１５の各切欠部１６は、「傾斜角度「θ」＞アクリルの傾斜角度（４２．２°）」に形成されているため、図６の矢印Ｓ１に示すように、ＬＥＤ光源１４のＬＥＤチップ１４ｂからの入射光が各傾斜面１６ａにて全反射される。
【００３０】
ここで全反射された入射光は、導光板１５内を屈曲しながら直角方向、即ち本体１５ａに導光される。したがって、幅狭部１２ｄ内にはＬＥＤ光源１４が収容されていないものの、幅広部１２ｃと同様に発光させることができる。すなわち、導光板１５に切欠部１６を形成するだけで幅狭部１２ｄの輝度を向上させることができ、前記照明看板１１の全体を明るく、かつ均一に発光させることができる。
【００３１】
その結果、特許文献２の照明看板２のように、導光板１５に溝８を多重的に形成する必要がなく、導光板１５の製造工程の複雑化が防止される。これにより導光板１５のコストを抑えて照明看板１１の製造コストを抑制することでき、簡易な構造をもって全体を均一に発光させることが可能となる。
【００３２】
（２）また、前述のように表面拡散板１３の導光板未配置部分１３ａの厚さは、導光板配置部分１３ｂの厚さよりも大きく設定されている。すなわち、図７に示すように、導光板未配置部分１３ｃの厚さＦは、上側Ｆ１と下側Ｆ２とを合算した大きさに形成されている。このとき下側Ｆ２は導光板１５の厚さと略同等なため、導光板未配置部分１３ａの厚さＦは導光板配置部分１３ｂの２倍に設定されている。
【００３３】
このように導光板未配置部分１３ａの厚さを大きくすることで、図７中のＳ２に示すように、ＬＥＤ光源１４の入射光を導光板未配置部分１３ａの下側Ｆ２で拡散させ、上側Ｆ１を発光させることができる。
【００３４】
その結果、ＬＥＤ光源１４の光が、導光板１５を介することなく、表面拡散板１３にて直接拡散される。したがって、導光板未配置部分１３ａの照度を導光板配置部分１３ｂの明度（照度）に近づけることができ、この点でも前記照明看板１１の明るさの均一化が図られている。
【００３５】
≪他例≫
本発明は、上記実施形態に限定されるものではなく、各請求項に記載された範囲で変形して実施することができる。以下に一例を説明する。
【００３６】
（１）図８（ａ）（ｂ）に基づき導光板１５の他例１を説明する。図８（ａ）（ｂ）中の「Ｌ１」は導光板１５の長手方向の長さを示し、「Ｌ２」は本体１５ａの長手方向の長さを示し、「Ｌ３」は各切欠部１６の長手方向の長さを示し、「Ｌ４」は導光板１５の幅方向の長さを示している。ここでは「Ｌ１＝８２ｍｍ」に設定され、「Ｌ２＝７０ｍｍ」に設定され、「Ｌ３＝６ｍｍ」に設定され、「Ｌ４＝５ｍｍ」に設定されている。
【００３７】
また、「Ｔ１」は本体１５ａの両端部１５ｂの厚さを示し、「Ｔ２」は本体中央１５ｄの厚さを示している。ここでは「Ｔ１＝５ｍｍ」に設定され、「Ｔ２＝２．５ｍｍ」に設定され、導光板１５の厚さは両端部１５ｂから本体中央１５ｄに向かって次第に薄く形成されている。
【００３８】
このとき導光板１５の両端部１５ｂは、ＬＥＤ光源１４の上方に配置される一方、導光板１５の本体中央１５ｄは幅狭部１２ｄに配置される。したがって、導光板１５の厚さは、ＬＥＤ光源１４から遠ざかるにしたがって薄くなるように形成されている。これによりＬＥＤ光源１４から遠ざかった場所の明度（照度）を向上させる効果が得られる。
【００３９】
（２）図９に基づき導光板１５の他例２を説明する。ここでは導光板１５のドットパターンは、両端部１５ｂが低密度に施されている一方、本体中央ｂ１５ｄが高密度に施されている。
【００４０】
すなわち、導光板１５のドットパターンの密度は、両端部１５ｂから本体中央１５ｂに向かって次第に高くなっている。したがって、導光板１５のドットパターンは、ＬＥＤ光源１４から遠ざかるにしたがって高密度になるように加工されている。この場合にもＬＥＤ光源１４から遠ざかった場所の明度（照度）を向上させる効果が得られる。
【００４１】
（３）なお、切欠部１６は、「傾斜角度「θ」＞アクリルの傾斜角度（４２．２°）」であればよく、例えば図１０（ａ）に示すように先端部をカットしてもよく、また図１０（ｂ）に示すように下側を切り欠いてもよいものとする。
【符号の説明】
【００４２】
１１…照明看板
１２…シェル
１２ｃ…幅広部
１２ｄ…幅狭部
１３…表面拡散板
１４…ＬＥＤ光源（光源）
１５…導光板
１６…切欠部
【図１】
2017223814.tif 000003
【図２】
2017223814.tif 000004
【図３】
2017223814.tif 000005
【図４】
2017223814.tif 000006
【図５】
2017223814.tif 000007
【図６】
2017223814.tif 000008
【図７】
2017223814.tif 000009
【図８】
2017223814.tif 000010
【図９】
2017223814.tif 000011
【図１０】
2017223814.tif 000012
【図１１】
2017223814.tif 000013
【図１２】
2017223814.tif 000014
【図１３】
2017223814.tif 000015